(57)【特許請求の範囲】
【請求項１】
室内の空気調和を行なう室内ユニットと、前記室内ユニットとの間で冷媒回路を構成する室外ユニットと、前記室内ユニットと前記室外ユニットとの間の通信を行なう室内外ユニット間通信手段と、を有し、
前記室内ユニット及び前記室外ユニットは、いずれも
回転数可変の回転駆動機と、
前記回転駆動機を駆動制御する回転駆動機制御部と、
前記回転駆動機制御部に通信手段を介して制御指令信号を出力し前記回転駆動機制御部により前記回転駆動機の運転制御をさせるメイン制御部と、
前記メイン制御部と前記回転駆動機制御部との間の通信異常を検知する通信異常検知手段と、
前記通信異常検知手段が前記メイン制御部と前記回転駆動機制御部との間の通信異常を検知したときに、前記メイン制御部からの制御指令信号によることなく前記回転駆動機の運転を当該回転駆動機の定格出力で継続させる単独駆動手段と、
前記室外ユニットの通信異常検知手段が通信異常を検知したときに、前記室内外ユニット間通信手段を介して前記室内ユニットの回転駆動機の運転を継続させ、または、前記室内ユニットの通信異常検知手段が通信異常を検知したときに、前記室内外ユニット間通信手段を介して前記室外ユニットの回転駆動機の運転を継続させる室内外ユニット間運転継続手段と、
を備えていることを特徴とする空気調和装置。
【請求項２】
前記室内ユニットの回転駆動機は、インバーター回路からの出力により回転数可変に駆動される送風機であり、前記室内ユニットの通信異常検知手段がメイン制御部と回転駆動機制御部との間の通信異常を検知したときに、前記インバーター回路に入力されるインバーター出力制御用のキャリア周波数をレベルの高い可聴音となるように変更するキャリア周波数変更手段
を備えていることを特徴とする請求項１に記載の空気調和装置。
【発明の詳細な説明】
【技術分野】
【０００１】
この発明は、圧縮機や送風機などの回転駆動機を駆動制御する回転駆動機制御部と、回転駆動機制御部に運転指令信号を出力して制御をさせるメイン制御部との間に通信異常が発生した場合に、サービスマンがサービスに駆けつけるまでの間に応急的に運転を行なう空気調和装置に関するものである。
【背景技術】
【０００２】
従来の空気調和装置としては、冷媒を圧縮して吐出するインバーター駆動式の圧縮機、室外熱交換器、および室外熱交換器に送風するインバーター駆動式の送風機を備えた室外ユニットと、室内熱交換器、および室内熱交換器に送風するインバーター駆動式の送風機を備えた室内ユニットとから構成されたものが知られている（特許文献１参照）。前述の室外ユニットは、メイン制御部、インバーター送風機駆動部、およびインバーター圧縮機駆動部の複数基板で構成される制御装置を備えている。前述の室内ユニットはメイン制御部およびインバーター送風機駆動部で構成される制御装置を備えている。これら室外ユニットおよび室内ユニットの各制御装置は、マスタ側であるメイン制御部が、スレーブ側であるインバーター送風機駆動部またはインバーター圧縮機駆動部に運転指令信号を送信し、その運転指令に従って、インバーター送風機駆動部またはインバーター圧縮機駆動部が回転駆動機（圧縮機または送風機）を駆動する制御方式、いわゆるマスタ・スレーブ方式を採用している。このようなマスタ・スレーブ方式では、メイン制御部と、インバーター送風機駆動部またはインバーター圧縮機駆動部との間に通信異常が発生すると、インバーター送風機駆動部またはインバーター圧縮機駆動部はメイン制御部からの指令信号を受信できないため、通信異常を検知したインバーター送風機駆動部、またはインバーター圧縮機駆動部はインバーターへの制御出力を止めて、送風機あるいは圧縮機を停止させていた。
【先行技術文献】
【特許文献】
【０００３】
【特許文献１】特開平９−２８２００２号公報
【発明の概要】
【発明が解決しようとする課題】
【０００４】
上述のように、従来の空気調和装置では、室外ユニット内または室内ユニット内におけるメイン制御部と回転駆動機制御部（インバーター圧縮機駆動部またはインバーター送風機駆動部）との間の通信異常を検知した場合に、通信異常を検知した回転駆動機制御部のマイコンが各インバーター回路への制御出力をオフにし、送風機または圧縮機を停止させていた。そのため、サービスマンが駆けつけるまでに空調対象空間の温度制御ができなくなるという不具合があった。上述したような各回転駆動機制御部とメイン制御部との間の通信異常の発生要因としては、メイン制御部または回転駆動機制御部そのものの破損、メイン制御部または回転駆動機制御部の通信回路の故障、メイン制御部と各回転駆動機制御部との間の通信線の断線、当該通信線の各基板へ接続するコネクタの接触不良などが挙げられる。回転駆動機制御部そのものが破損した場合には、各回転駆動機制御部に接続された送風機や圧縮機が停止することは仕方ないが、メイン制御部の故障、各基板の通信回路の故障、メイン制御部と各回転駆動機制御部との間の通信線の断線、当該通信線から各基板へ接続するコネクタの接触不良などがあっても、通信異常を検知した回転駆動機制御部の送風機あるいは圧縮機を駆動するインバーター回路が正常である場合は、応急的に送風機や圧縮機の運転を継続してほしいという市場要求もある。
【０００５】
この発明は、上述のような課題および市場要求を解決するためになされたものであり、通信線の断線や接触不良等によりメイン制御部と回転駆動機制御部との間に通信異常が発生した場合に、回転駆動機を必然的に停止させて空調対象空間の無用な温度上昇や温度降下を引き起こすということのない空気調和装置を得ることを目的とするものである。
【課題を解決するための手段】
【０００６】
この発明に係る空気調和装置は、室内の空気調和を行なう室内ユニットと、室内ユニットとの間で冷媒回路を構成する室外ユニットと、室内ユニットと室外ユニットとの間の通信を行なう室内外ユニット間通信手段と、を有し、室内ユニット及び室外ユニットは、いずれも回転数可変の回転駆動機と、回転駆動機を駆動制御する回転駆動機制御部と、回転駆動機制御部に通信手段を介して制御指令信号を出力し回転駆動機制御部により回転駆動機の運転制御をさせるメイン制御部と、メイン制御部と回転駆動機制御部との間の通信異常を検知する通信異常検知手段と、通信異常検知手段がメイン制御部と回転駆動機制御部との間の通信異常を検知したときに、メイン制御部からの制御指令信号によることなく回転駆動機の運転を当該回転駆動機の定格出力で継続させる単独駆動手段と、室外ユニットの通信異常検知手段が通信異常を検知したときに、室内外ユニット間通信手段を介して室内ユニットの回転駆動機の運転を継続させ、または、室内ユニットの通信異常検知手段が通信異常を検知したときに、室内外ユニット間通信手段を介して室外ユニットの回転駆動機の運転を継続させる室内外ユニット間運転継続手段とを備えているものである。
【発明の効果】
【０００７】
この発明は、前記のように、通信異常検知手段がメイン制御部と回転駆動機制御部との間の通信異常を検知したときに、メイン制御部からの制御指令信号によることなく、圧縮機または送風機などの回転駆動機の運転を継続させる単独駆動手段を備えているので、回転駆動機制御部間の通信線の断線や接触不良等のインバーター回路が動作不能となる以外の場合において、メイン制御部と回転駆動機制御部との間の通信異常が発生した時にも、回転駆動機の運転を応急的に継続させることができる。これにより、通信異常時の冷房運転において空調対象の無用な温度上昇を応急的に防止でき、暖房運転において空調対象の無用な温度降下を応急的に防止できるという効果を有する。
【図面の簡単な説明】
【０００８】
【図１】この発明の実施の形態１における空気調和装置のブロック構成図である。
【図２】この発明の実施の形態１における空気調和装置の制御動作を示すフローチャートの図である。
【図３】この発明の実施の形態２における空気調和装置のブロック構成図である。
【図４】この発明の実施の形態２における空気調和装置の制御動作を示すフローチャートの図である。
【発明を実施するための形態】
【０００９】
実施の形態１．
図１はこの発明の実施の形態１における空気調和装置のブロック構成図、図２はこの発明の実施の形態１における空気調和装置の制御動作を示すフローチャートの図である。
図１において、この実施形態１に係る空気調和装置は、冷媒回路の圧縮機９（回転駆動機の例）、冷媒回路の室外熱交換器（図示省略）、およびその室外熱交換器に室外空気を送風する送風機８（回転駆動機の例）を有する室外ユニット１と、冷媒回路の室内熱交換器（図示省略）およびその室内側熱交換器に室内空気を送風する送風機３７（回転駆動機の例）を有して室内の空気調和を行なう室内ユニット２９と、から構成されている。
【００１０】
前記した室外ユニット１は、前記の圧縮機９と、圧縮機９を駆動するインバーター圧縮機駆動部４（回転駆動機制御部の例）と、冷媒回路の室外熱交換器に送風する送風機８と、送風機８を駆動するインバーター送風機駆動部２２（回転駆動機制御部の例）と、インバーター圧縮機駆動部４およびインバーター送風機駆動部２２の制御や室内ユニット２９との間の通信制御を行なうメイン制御部２と、三相交流電源４２を直流電源に変換する整流回路１５と、冷媒回路における圧縮機９吐出側の冷媒圧力を検出する高圧圧力センサ１６と、を備えている。そして、インバーター圧縮機駆動部４、インバーター送風機駆動部２２、およびメイン制御部２は通信線４１で双方向通信可能に接続されていて、通信手段３，１４，２１を介してメイン制御部２のマイコン２０とインバーター圧縮機駆動部４のマイコン１１またはインバーター送風機駆動部２２のマイコン５との間の指令信号の送受信処理を相互に行なうようになっている。メイン制御部２のマイコン２０の電源、インバーター送風機駆動部２２のマイコン５の電源、およびインバーター圧縮機駆動部４のマイコン１１の電源は、整流回路１５により三相交流電源４２を直流電源に変換し、変換した直流電圧を電源回路１８によりマイコン駆動用電源にしたものを用いている。メイン制御部２には、各駆動制御部４，２２のマイコン１１，５への電源の供給または遮断を切り換える電源供給遮断手段１９が、インバーター圧縮機駆動部４のマイコン１１およびインバーター送風機駆動部２２のマイコン５とメイン制御部２の電源回路１８との間に設けられている。
【００１１】
そして、メイン制御部２において、高圧圧力センサ１６からの検出データは圧力センサ入力回路１７を介してマイコン２０に入力される。また、室内ユニット２９との間でデータ通信を行なう室内外ユニット間通信手段４３がマイコン２０に接続されている。メイン制御部２のマイコン２０は、後で詳述する室内外ユニット間運転継続手段４６を備えている。メイン制御部２は、インバーター圧縮機駆動部４、インバーター送風機駆動部２２に通信手段２１，３，１４を介して制御指令信号を出力しインバーター圧縮機駆動部４、インバーター送風機駆動部２２により圧縮機９、送風機８の運転制御をさせるようになっている。そして、インバーター圧縮機駆動部４において、マイコン１１は、メイン制御部２からの運転指令信号を受信しなくても単独でモーター駆動手段１０に駆動信号を出力して圧縮機９を運転させる単独駆動手段１２を備えている。
【００１２】
インバーター圧縮機駆動部４のマイコン１１は、後で詳述する通信異常検知のときにメイン制御部２からの制御指令信号によることなく圧縮機９の運転を継続させる単独駆動手段１２を備えており、単独駆動手段１２は圧縮機９の定格出力で圧縮機９の運転を継続させる定格運転手段１２Ａを備えている。モーター駆動手段１０は室外ユニット１の圧縮機９を回転数可変に駆動させるインバーター回路である。また、インバーター圧縮機駆動部４は通信手段１４とマイコン１１の間に通信異常検知手段１３を備えている。そして、インバーター送風機駆動部２２において、マイコン５は、メイン制御部２からの運転指令信号を受信しなくても単独でモーター駆動手段７に駆動信号を出力して送風機８を運転させる単独駆動手段６を備えている。インバーター送風機駆動部２２のマイコン５は、後で詳述する通信異常検知のときにメイン制御部２からの制御指令信号によることなく送風機８の運転を継続させる単独駆動手段６を備えており、単独駆動手段６は送風機８の定格出力で送風機８の運転を継続させる定格運転手段６Ａを備えている。モーター駆動手段７は室外ユニット１の送風機８を回転数可変に駆動させるインバーター回路である。また、インバーター送風機駆動部２２は通信手段３とマイコン５の間に通信異常検知手段４５を備えている。
【００１３】
前記した室内ユニット２９は、冷媒回路の室内熱交換器に送風する送風機３７と、送風機３７を駆動するインバーター送風機駆動部３１（回転駆動機制御部の例）と、インバーター送風機駆動部３１の制御や室外ユニット１との間の通信制御を行なうメイン制御部２８と、三相交流電源４０を直流電源に変換する整流回路３８と、メイン制御部２８に接続されていて外部からのデータ入力や制御状態の表示を行なうリモコン３９と、を備えている。そして、インバーター送風機駆動部３１とメイン制御部２８との間は通信線３０で双方向通信可能に接続されていて、通信手段２７，３２を介してメイン制御部２８のマイコン２５とインバーター送風機駆動部３１のマイコン３４との間の指令信号の送受信処理を行なうようになっている。メイン制御部２８のマイコン２５の電源、およびインバーター送風機駆動部３１のマイコン３４の電源は、整流回路３８により三相交流電源４０を直流電源に変換し、変換した直流電圧を電源回路２４によりマイコン駆動用電源にしたものを用いている。メイン制御部２８には、インバーター送風機駆動部３１のマイコン３４への電源の供給または遮断を切り換える電源供給遮断手段２６がインバーター送風機駆動部３１のマイコン３４とメイン制御部２８の電源回路２４との間に設けられている。
【００１４】
そして、メイン制御部２８において、室外ユニット１との間でデータ通信を行なう室内外ユニット間通信手段２３がマイコン２５に接続されている。メイン制御部２８のマイコン２５は、後で詳述する室内外ユニット間運転継続手段４６を備えている。メイン制御部２８は、インバーター送風機駆動部３１に通信手段２７，３２を介して制御指令信号を出力しインバーター送風機駆動部３１により送風機３７の運転制御をさせるようになっている。そして、インバーター送風機駆動部３１のマイコン３４は、後で詳述する通信異常検知のときにメイン制御部２８からの制御指令信号によることなく送風機３７の運転を継続させる単独駆動手段３５を備えており、単独駆動手段３５は送風機３７の定格出力で送風機３７の運転を継続させる定格運転手段３５Ａを備えている。モーター駆動手段３６は室内ユニット２９の送風機３７を回転数可変に駆動させるインバーター回路である。また、インバーター送風機駆動部３１は通信手段３２とマイコン３４との間に通信異常検知手段３３を備えている。
【００１５】
次に実施の形態１における動作について説明する。
まず、通常運転時の動作について説明する。ここでは発明の理解を容易にするため、室外ユニット１の制御動作についてのみ説明するが、室内ユニット２９についても同様の動作が可能である。
空気調和装置が停止状態にある場合、マイコン２０は室外ユニット１の電源供給遮断手段１９の機能を有効（電源遮断状態）とし、電源供給遮断手段１９はインバーター送風機駆動部２２のマイコン５およびインバーター圧縮機駆動部４のマイコン１１への電源供給を遮断している。これにより、室外ユニット１の送風機８および圧縮機９の停止状態が維持されている。そこで、リモコン３９からの発停入力操作により、空気調和装置が停止状態から運転状態にされると（ステップ２０１）、マイコン２０は電源供給遮断手段１９の機能を有効のままとし、インバーター送風機駆動部２２のマイコン５およびインバーター圧縮機駆動部４のマイコン１１への電源供給を遮断状態のままとする（ステップ２０２）。ステップ２０３で室外ユニット１のマイコン２０は、室内ユニット２９から室内外ユニット間通信手段２３、４３を経由して受信したサーモＯＮ、ＯＦＦ指令信号のうちサーモＯＦＦ信号を受信した場合（ＯＦＦ）、送風機８と圧縮機９の状態を停止状態のままとし、ステップ２０２に戻る。一方、ステップ２０３でサーモＯＮ信号を受信した場合（ＯＮ）、ステップ２０４へ移行し、電源供給遮断手段１９の機能を無効（供給状態）とし、電源供給遮断手段１９はインバーター送風機駆動部２２のマイコン５およびインバーター圧縮機駆動部４のマイコン１１への電源供給を開始する。
【００１６】
電源を供給されたインバーター送風機駆動部２２のマイコン５は、単独駆動手段６および定格運転手段６Ａを作動させてモーター駆動手段７に定格運転指令信号を出力し、モーター駆動手段７は送風機８の一時的な定格運転を開始する。同時に、電源供給されたインバーター圧縮機駆動部４のマイコン１１は、単独駆動手段１２および定格運転手段１２Ａを作動させてモーター駆動手段１０に定格運転指令信号を出力し、モーター駆動手段１０は圧縮機９の一時的な定格運転を開始する（ステップ２０５）。そして、ステップ２０６において、電源供給開始後のインバーター送風機駆動制御２２のマイコン５およびインバーター圧縮機駆動部４のマイコン１１は、メイン制御部２のマイコン２０からの要求コマンドの受信を待つ。所定時間間隔内にメイン制御部２のマイコン２０からの運転要求や運転データモニタ要求を受信したインバーター送風機駆動部２２のマイコン５とインバーター圧縮機駆動部４のマイコン１１は、通信異常検知手段４５，１３により通信異常検知なしと判断し（ステップ２０６のＮ）、メイン制御部２から受信したインバーター周波数指令値によって送風機８と圧縮機９を駆動させ（ステップ２０７）、ステップ２０８でサーモ判定処理を実施する。ステップ２０８でサーモＯＮと判定した場合は、ステップ２０６に戻り、送風機８と圧縮機９の運転を継続する。一方、ステップ２０８でサーモＯＦＦと判定した場合は、ステップ２０２へ戻って電源供給遮断手段１９の機能を有効とし、インバーター送風機駆動部２２のマイコン５およびインバーター圧縮機駆動部４のマイコン１１への電源を遮断し、送風機８および圧縮機９の駆動を停止させ、以下、ステップ２０３〜２０６を実行する。
【００１７】
他方で、ステップ２０６において所定時間内にメイン制御部２のマイコン２０からの運転要求や運転データモニタ要求を受信しなかった場合、インバーター送風機駆動部２２のマイコン５とインバーター圧縮機駆動部４のマイコン１１は、通信異常検知手段４５，１３によりメイン制御部２との間の通信線４１の断線、コネクタ接触不良等による通信異常を検知したと判断し（ステップ２０６のＹ）、定格運転を行なうステップ２０９へ移行する。ここでは、インバーター圧縮機駆動部４とメイン制御部２との間に通信異常が発生した場合を例に挙げて説明するが、インバーター送風機駆動部２２とメイン制御部２との間の通信異常に関しては同様の動作となるので、その説明は省略する。ステップ２０６で通信異常を検知したインバーター圧縮機駆動部４のマイコン１１は、圧縮機９の定格運転を応急的に開始する（ステップ２０９）。また、室外ユニット１の接続情報に内在する別の室外ユニットまたは室内ユニットに向けて異常である旨を発報するとともに、外部へ異常信号を出力させる（ステップ２１１）。定格運転を開始したインバーター圧縮機駆動部４のマイコン１１は、メイン制御部２との間の通信復旧状態を監視する（ステップ２１０）。
【００１８】
ステップ２１０において、インバーター圧縮機駆動部４のマイコン１１が、通信異常検知手段１３によりメイン制御部２から要求コマンドを受信しなければ通信が復旧していないと判断し（Ｎ）、定格運転を継続してステップ２１２へ移行する。ステップ２１２において、高圧圧力センサ１６により検出された冷媒回路の高圧圧力に係るアナログ入力は圧力センサ入力回路１７により高圧圧力データにされてマイコン２０に取り込まれ、マイコン２０は取り込んだ高圧圧力データが、予め設定されている高圧圧力異常値に近づく到達直前値を超えたかどうかを判定する。高圧圧力データが高圧圧力異常値への到達直前値を超えた場合（ステップ２１２のＹ）、メイン制御部２のマイコン２０は電源供給遮断手段１９を有効（遮断状態）にすることにより、インバーター送風機駆動部２２のマイコン６とインバーター圧縮機駆動部４のマイコン１１の電源を遮断し（ステップ２１３）、圧縮機９および送風機８を停止させて（ステップ２１４）、一連の処理を終了する。ステップ２１２において高圧圧力データが正常であって到達直前値を超えていない場合は（ステップ２１２のＮ）、ステップ２１０に戻る。一方、ステップ２１０において通信異常から復旧したと判定した場合（Ｙ）、インバーター圧縮機駆動部４のマイコン１１は、通信手段１４で受信したメイン制御部２のマイコン２０からのインバーター周波数信号により圧縮機９を駆動させて（ステップ２１５）、ステップ２０３に戻る。
【００１９】
そして、室外ユニット１のメイン制御部２は、室外ユニット１の通信異常検知手段１３または４５が通信異常を検知したときに、室内外ユニット間通信手段２３および４３を介して、室内ユニット２９のメイン制御部２８に対して室内ユニット定格運転指令信号を送信し、これを受信した室内ユニット２９のメイン制御部２８の室内外ユニット間運転継続手段４６はインバーター送風機駆動部３１のマイコン３４にインバーター定格周波数指令信号を送信して単独駆動手段３５および定格運転手段３５Ａを作動させ送風機３７も定格出力で運転を継続させる。これにより、室内ユニット２９の送風機３７もインバーター定格周波数で運転され、室外ユニット１および室内ユニット２９による装置全体としての定格運転が可能となる。
逆に、室内ユニット２９の通信異常検知手段３３が通信異常を検知したときに、室内外ユニット間通信手段２３および４３を介して、室外ユニット１のメイン制御部２に対して室外ユニット定格運転指令信号を送信し、これを受信した室外ユニット１のメイン制御部２の室内外ユニット間運転継続手段４６はインバーター送風機駆動部２２のマイコン５およびインバーター圧縮機駆動部４のマイコン１１にインバーター定格周波数指令信号を送信して単独駆動手段６および１２ならびに定格運転手段６Ａおよび１２Ａを作動させ送風機９および圧縮機９も定格出力で運転を継続させるようにする。
【００２０】
以上のように、メイン制御部２とインバーター圧縮機駆動部４との間の通信異常が発生した場合に圧縮機９を運転継続させるようにしているので、モーター駆動手段１０の動作不能以外の要因による通信異常が発生した場合の応急運転を行なうことができる。これにより、冷房運転時には空調対象の無用な温度上昇を防止でき、暖房運転時には空調対象の無用な温度降下を防止することができる。ここでは、室外ユニット１の圧縮機９に対する応急運転方法について説明したが、室外ユニット１の送風機８、または室内ユニット２９の送風機３７についても、室外ユニット１の圧縮機９の場合と同様の制御動作を行なうことができ、それにより同様の効果が得られることは言うまでもない。
【００２１】
実施の形態２．
実施の形態１では、室外ユニット１の圧縮機９を駆動するインバーター圧縮機駆動部４、送風機８を駆動するインバーター送風機駆動部２２、または室内ユニット２９の送風機３７を駆動するインバーター送風機駆動部３１とそれぞれを制御するメイン制御部２，２８との間に通信異常が発生した場合に、圧縮機９、送風機８、または送風機３７の定格運転を行なうようにしたものであるが、送風機８または送風機３７に関して定格運転を行なうのみならず、駆けつけたサービスマンに対し通信異常の発生した室内ユニットまたは室外ユニットをの位置を把握しやすくする実施の形態２を説明する。
図３はこの発明の実施の形態２における空気調和装置のブロック構成図、図４はこの発明の実施の形態２における空気調和装置の制御動作を示すフローチャートの図である。
この実施の形態２に係る空気調和装置は、図１に示した実施形態１における室内ユニット２９の単独駆動手段３５にキャリア周波数変更手段４４を、室外ユニット１の単独駆動手段６にキャリア周波数変更手段４７を設けた点が実施形態１と異なる構成であるので、他の共通する構成要素に関する説明については必要時以外は省略する。
【００２２】
続いて、実施の形態２の制御動作を図４に沿って説明する。図４のフローチャートは、実施形態１を示した図２のフローチャートにおけるステップ２０９とステップ２１０との間にステップ２０９Ａを追加し、ステップ２１５とステップ２０３との間にステップ２１５Ａを追加したものである。ステップ２０９Ａとステップ２１５Ａ以外のステップは実施形態１と同様であるため、ステップ２０９Ａおよびステップ２１５Ａならびにそれらの近隣ステップ以外の説明については必要時以外は省略する。
図４において、室内ユニット２９のインバーター送風機駆動部３１の通信異常検知手段３３がメイン制御部２８との通信異常を検知して（ステップ２０６）、定格運転手段３５Ａが定格運転を開始させた後（ステップ２０９）、キャリア周波数変更手段４４は、モーター駆動手段３６に入力されるインバーター出力制御用のキャリア周波数信号を送風機３７の共振周波数に設定変更する。これにより、通常運転時は低いレベルの可聴音で送風機３７を駆動させるのに対し、このときは高いレベルの可聴音で送風機３７を駆動させる（ステップ２０９Ａ）。その後、ステップ２１０以降の処理を行なう。一方、ステップ２１０において通信異常から復旧したと判定した場合（Ｙ）、インバーター送風機駆動部３１のマイコン３４は、通信手段３２で受信したメイン制御部２８のマイコン２５からのインバーター周波数信号で送風機３７を駆動させる（ステップ２１５）。そして、前記のように通信異常から復旧したことから、ステップ２１５Ａでは送風機３７に通常運転時の低いレベルの可聴音をもたらすキャリア周波数に戻して、ステップ２０３に戻るのである。
【００２３】
以上のように、通信異常が発生した場合に、定格運転を行なうのみならず、キャリア周波数をレベルの高い可聴音となるように変更するので、通信異常の発生時にサービスマンがサービスのために駆けつけたとき、室内ユニット２９から発生する音によって、通信異常が発生しているユニットを特定する時間を短縮でき、サービス時間の短縮を図ることが可能となる。本実施形態では、室内ユニット２９の位置を把握しやすくする場合について説明したが、室外ユニット１の送風機８についても同様な動作を行うことができ、同様の効果を得ることが出来ることは言うまでもない。
【００２４】
尚、上記の実施形態では、１台の室外ユニット１と、１台の室内ユニット２９から成る空気調和装置を例示したが、本発明はそれに限定されるものでない。例えば、１台の室外ユニットに対し複数台の室内ユニットを並列接続させた冷媒回路を有するものや、複数台の室外ユニットと複数台の室内ユニットとを組み合わせて構成した冷媒回路を有するものも、本発明に含まれる。
【符号の説明】
【００２５】
１  室外ユニット、２  メイン制御部、３  通信手段、４  インバーター圧縮機駆動部（回転駆動機制御部）、６  単独駆動手段、６Ａ  定格運転手段、７  モーター駆動手段（インバーター回路）、８  送風機（回転駆動機）、９  圧縮機（回転駆動機）、１０  モーター駆動手段（インバーター回路）、１２  単独駆動手段、１２Ａ  定格運転手段、１３  通信異常検知手段、１４  通信手段、２１  通信手段、２２  インバーター送風機駆動部（回転駆動機制御部）、２３  室内外ユニット間通信手段、２７  通信手段、２８  メイン制御部、２９  室内ユニット、３１  インバーター送風機駆動部（回転駆動機制御部）、３２  通信手段、３３  通信異常検知手段、３５  単独駆動手段、３５Ａ  定格運転手段、３６  モーター駆動手段（インバーター回路）、３７  送風機（回転駆動機）、４３  室内外ユニット間通信手段、４４  キャリア周波数変更手段、４５  通信異常検知手段、４６  室内外ユニット間運転継続手段。
【図１】
0005582989.tif 000002
【図２】
0005582989.tif 000003
【図３】
0005582989.tif 000004
【図４】
0005582989.tif 000005